(57)【要約】  【課題】最下段の引出し貯蔵室の内容積と奥行きを最大化すると共に、静音化を図る。  【解決手段】断熱壁で形成された天面と、前記天面の後方で冷蔵庫背面側に設けられた庫外凹み部１０とを有した断熱箱体１と、前記庫外凹み部１０に配設された圧縮機１６とを備え、前記庫外凹み部１０の両側面に設けられた断熱壁は空間部３３を備えたことにより、圧縮機１６から発生する騒音を直接に左右側壁面２７に伝播させることなく、庫外凹み部１０の左右壁面２８と空間部３３とを経てから伝わるので騒音レベルを減衰させることができる。  また、下段の貯蔵室の内容積と奥行きを充分に確保するのはもちろんのことである。【選択図】図２
2005351507.tif 000002
【特許請求の範囲】
【請求項１】
断熱壁で形成された天面と、前記天面の後方で冷蔵庫背面側に設けられた庫外凹み部とを有した断熱箱体と、前記庫外凹み部に配設された圧縮機とを備え、前記庫外凹み部の両側面に断熱壁を設け、前記断熱壁の内方には空間部を備えたものである冷蔵庫。
【請求項２】
冷蔵庫の庫内側に設けられ前記庫外凹み部に相当する位置に庫内凸部を備え、前記空間部は、前記庫内凸部の側面と庫内の左右側壁面との間に設けられた庫内凹み部と前記庫内凹み部に備えられたカバー部材とで形成されたものである請求項１に記載の冷蔵庫。
【請求項３】
庫内凹み部とカバー部材とで構成された前記空間部に照明装置を備えた請求項１または２に記載の冷蔵庫。
【請求項４】
庫内凸部と同一断面となるようカバー部材を配置し、正面と下面方向の２方向に向けて照明を照らすものである請求項１から３のいずれか一項に記載の冷蔵庫。
【請求項５】
庫内凹み部とカバー部材とで構成された空間部を冷却風路とする請求項１から４のいずれか一項に記載の冷蔵庫。
【請求項６】
庫内凹み部とカバー部材とで構成された空間部に脱臭装置を備えたことを特徴とする請求項１から５いずれか一項に記載の冷蔵庫。
【請求項７】
圧縮機が回転数可変で運転を行うインバータータイプである請求項１に記載の冷蔵庫。
【請求項８】
庫外凹み部と、庫内凸部と、左右２つの庫内凹み部とが左右略対称の配置で構成された断熱箱体である請求項１から７のいずれか一項に記載の冷蔵庫。
【発明の詳細な説明】
【技術分野】
【０００１】
本発明は圧縮機を天面部に積載した冷蔵庫に関するものである。
【背景技術】
【０００２】
近年、冷蔵庫は保鮮性や省エネ性、静粛性などの基本性能が向上するとともに、その使い勝手や収納性の向上が求められている。
【０００３】
従来のこの種の冷蔵庫は、最下部に配設された貯蔵室の収納容積のアップを図る目的のために、断熱箱体の貯蔵室内最上部の後背部が下がるように窪ませた凹部を設け、その凹部に冷凍サイクルの構成機器を収納するという方法がとられていた（例えば、特許文献１参照）。
【０００４】
図９は、特許文献１に記載された従来の冷蔵庫の構成を示すものである。
【０００５】
図９に示すように、断熱箱体１は、上から順に、冷蔵室２、冷凍室３、野菜室４を有し、冷蔵室２の前面開口には、冷蔵室回転扉５を設けている。また、断熱箱体１の中央から下方部に位置する冷凍室３と野菜室４は収納性と使い勝手を考慮して、簡易に取り出しが行える引出しタイプの冷凍室引出し扉６と野菜室引出し扉７を設けてある。冷蔵室２の庫内には複数の収納棚８が設けられており、冷凍室３と野菜室４には上面開口形状の収納容器９が取り付けてある。この収納容器９は前後方向のレールに、ローラで前後方向へ移動可能に支持されている。
【０００６】
断熱箱体１に設けた庫外凹み部１０は、外箱上面１１と外箱背面１２に渡る天面後背部を冷蔵室２の最上部の後背部が下がるように窪ませた箇所である。凹み部１０はその左右が断熱箱体１の左右壁にて塞がれ上方および背方に開放しており、この凹み部１０の開放部は、上板１３とこれにほぼ直角な背板１４とからなる凹み部カバー１５にて覆われている。また、凹み部カバー１５はネジなどにて断熱箱体１に取外し可能に固定されている。
【０００７】
冷凍サイクルの構成機器である圧縮機１６と凝縮器１７は機械室ファン１８と共に凹み部１０内に収まるように配設され、凹み部カバー１５にて覆われている。また、凹み部カバー１５の上板１３と背板１４には、放熱のために複数の通風孔１９が設けられている。
【０００８】
また、冷凍サイクルの構成機器である蒸発器２０は冷凍室２の後背部に冷却ファン２１と共に配設されており、最下部の貯蔵室である野菜室４は奥行き深く構成してある。
【０００９】
これにより、断熱箱体１の背面下部に圧縮機１６や凝縮器１７を収納するものと比較して、野菜室４の内容積を大きく、深く構成できる。
【特許文献１】特開２００１−９９５５２号公報
【発明の開示】
【発明が解決しようとする課題】
【００１０】
しかしながら、上記従来の構成では、騒音や振動の発生源となる圧縮機が天面に配設されるので、従来の構成に比べてユーザーの耳の位置により近い場所に音源や振動源が位置することになる。従って低騒音化や低振動化は非常に重要な課題である。
【００１１】
また、音や振動は冷蔵庫側壁面を共鳴板として伝わる場合も多く、これを低減することが重要である。特に冷蔵庫の貯蔵室の中で最も大きな断熱区画である冷蔵室が最上段にある場合には、断熱仕切りが下方に位置するので冷蔵庫側壁面のうち下部は水平方向の断熱仕切りによって補強されることで強度が高くなるが、上部はそれと比べて強度が弱い構成となる。冷蔵庫側壁面上部の強度が弱いと剛性の弱い部分が共振しやすくなり、天面部の圧縮機から伝わる音や振動が大きくなってしまう。
【００１２】
また、比較的重量の大きい圧縮機を天面部に配設するので、冷蔵庫の断熱箱体はこれを支えるために、従来よりもさらに強い強度が必要となる。特に冷蔵庫の貯蔵室の中で最も大きな断熱区画である冷蔵室が最上段にある従来の構成のような場合には、前述のように冷蔵室上部の剛性が弱く、騒音や振動が増大するという問題があった。
【００１３】
これらに加えて、強度が不足すると冷蔵庫の断熱箱体にひずみが生じ、冷蔵庫の扉の位置がずれてしまい外観を損う上に、さらには扉のシール性が低下し冷蔵庫庫内に暖気が侵入し庫内結露や着霜が発生したり省エネ性を阻害したりするといった問題が生じる可能性がある。
【００１４】
本発明は、上記従来の課題を解決するもので、最下段の貯蔵室の内容積と奥行きを充分に確保した上で、冷蔵庫の全高寸法を著しく大きくすることなくして、断熱箱体の強度を向上させ、静音化と低振動化を図る冷蔵庫を提供することを目的とする。
【課題を解決するための手段】
【００１５】
上記従来の課題を解決するために、本発明の冷蔵庫は、断熱壁で形成された天面と、前記天面の後方で冷蔵庫背面側に設けられた庫外凹み部とを有した断熱箱体と、前記庫外凹み部に配設された圧縮機とを備え、前記庫外凹み部の両側面に断熱壁を設け、前記断熱壁の内方には空間部を備えたことを特徴とする。
【００１６】
これによって、圧縮機から発生する騒音を直接に冷蔵庫側壁面に伝播させることなく、庫外凹み部の壁面と空間部とを経てから冷蔵庫外部に音が伝わるので騒音レベルを減衰させることができる。
【００１７】
また、圧縮機から発生する振動についても、圧縮機を配設する庫外凹み部の側壁が比較的複雑な構造となる為に、庫外凹み部周辺が高い強度で構成されている。さらに、騒音と同様に直接冷蔵庫外側壁面に伝達することないので、振動伝達を抑制することができる。
【発明の効果】
【００１８】
本発明の冷蔵庫は、最下段の貯蔵室の内容積と奥行きを充分に確保することに加え、よりユーザーの耳の高さに近くに騒音、振動の発生源が位置するにもかかわらず、冷蔵庫側壁面から発生する騒音、振動を低減することができる。
【発明を実施するための最良の形態】
【００１９】
請求項１に記載の発明は、断熱壁で形成された天面と、前記天面の後方で冷蔵庫背面側に設けられた庫外凹み部とを有した断熱箱体と、前記庫外凹み部に配設された圧縮機とを備え、前記庫外凹み部の両側面に断熱壁を設け、前記断熱壁の内方に空間部を備えたものである。
【００２０】
これによって、圧縮機から発生する騒音を直接に冷蔵庫外側壁面へ伝播させることなく、庫外凹み部の壁面と空間部とを経てから伝わるので騒音レベルを減衰させることができる。
【００２１】
また、圧縮機から発生される振動についても、圧縮機を配設する庫外凹み部の側壁が複雑な構成となる為、比較的高い強度で構成されている。さらに、騒音と同様に直接冷蔵庫側壁面に伝達することないので、振動伝達を抑制することができる。
【００２２】
従って、ユーザーの耳の高さ近くに騒音、振動の発生源が位置するにもかかわらず、冷蔵庫側壁面から発生する騒音、振動を低減することができる。
【００２３】
さらに、冷蔵庫の断熱箱体強度を確保できるので比較的重量物である圧縮機を天面に配設しても箱体にひずみが生じることを防止することができる。
【００２４】
請求項２に記載の発明は、断熱壁で形成された天面と、前記天面の後方で冷蔵庫背面側に設けた庫外凹み部と、冷蔵庫の庫内側に設けられ前記庫外凹み部に相当する位置の庫内凸部と、前記庫内凸部の側面と庫内の左右側壁面との間に設けられた庫内凹み部とで構成された断熱箱体と、前記庫外凹み部に配設された圧縮機と、前記庫内凹み部とカバー部材とで構成された空間部とを備えたものである。
【００２５】
これによって、圧縮機から発生する騒音を直接に冷蔵庫側壁面へ伝播させることなく、庫外凹み部の壁面と庫内左右の空間部とを経てから伝わるので騒音レベルを減衰させることができる。
【００２６】
また、圧縮機から発生される振動についても、圧縮機を配設する庫外凹み部が比較的短い距離で各面が拘束され、比較的高い強度で構成されている。さらに、騒音と同様に直接冷蔵庫側壁面に伝達することないので、振動伝達を抑制することができる。
【００２７】
従って、ユーザーの耳の高さ近くに騒音、振動の発生源が位置するにもかかわらず、冷蔵庫側壁面から発生する騒音、振動を低減することができる。
【００２８】
さらに、冷蔵庫の断熱箱体強度を確保できるので比較的重量物である圧縮機を天面に配設しても箱体にひずみが生じることを防止することができる。
【００２９】
請求項３に記載の発明は、請求項１または２に記載の冷蔵庫に加えて、庫内凹み部とカバー部材とで構成された空間部に照明装置を備えたことを特徴とするので、別途照明装置を設ける場合に比べて、冷蔵庫庫内に生じた凸凹の使いにくい空間を有効的に利用し内容積を増加することができる。また、庫内の凸凹をより少なく構成することができスッキリした庫内空間を創出できる。
【００３０】
さらに、圧縮機近傍に制御基板を設ける場合に、照明装置と圧縮機とを近傍に配置してあるので、電気配線が短くてすみ、合理化が図れると共に、電磁波ノイズの発生を抑制することができる。
【００３１】
また、請求項４に記載の発明は、請求項３に記載の冷蔵庫に加えて、庫内凸部と同一断面となるようカバー部材を配置し、正面と下面方向の２方向に照明を照らしているので、一つの照明装置が最上段を明るく照らすと共に、下段方向に対しても明るく照らすことができる。特に、庫内凸部分だけ前方に飛び出した位置で庫内を照らすことができるので、庫内背面から照らす場合に比べて、庫内収納品の陰ができにくく見やすい照明が可能である。
【００３２】
また、請求項５に記載の発明は、請求項１から４に記載の冷蔵庫に加えて、庫内凹み部とカバー部材とで構成された空間部を冷却風路とすることを特徴とするので、別途冷却風路を設ける場合に比べて、冷蔵庫庫内に生じた凸凹の使いにくい空間を有効的に利用し内容積を増加することができる。また、庫内の凸凹をより少なく構成することができスッキリした庫内空間を創出できる。特に庫内凸部に加えて奥行き方向に冷却風路の空間が生じないので、奥行き方向に庫内凸部を最小限とすることができる。
【００３３】
また、請求項６に記載の発明は、請求項１から５に記載の冷蔵庫に加えて、庫内凹み部とカバー部材とで構成された空間部に脱臭装置を備えたことを特徴とするので、別途脱臭装置を設ける場合に比べて、冷蔵庫庫内に生じた凸凹の使いにくい空間を有効的に利用し内容積を増加することができる。また、庫内の凸凹をより少なく構成することができスッキリした庫内空間を創出できる。
【００３４】
また、請求項７に記載の発明は、請求項１に記載の冷蔵庫に加えて、圧縮機が回転数可変で運転するインバータータイプであることを特徴とするので、必要な冷却能力に応じて回転数を低下させて運転可能である。圧縮機の回転数を低下させて運転すると、静音化が可能である。冷蔵庫は最大能力を夏場の収納品入れ替えや扉の開閉を想定して設定するために、通常は選定した圧縮機よりも低い能力で十分な冷却運転が可能である。
【００３５】
また、請求項８に記載の発明は、請求項１から７に記載の冷蔵庫に加えて、庫外凹み部と、庫内凸部と、左右２つの庫内凹み部とが左右対称の配置で構成された断熱箱体であるので、比較的重量物である圧縮機を断熱箱体中央に配設でき左右バランスがよく安定した構造とすることができる。また左右略対称構造とすることで、どちらかに偏ったひずみが発生することを防止する。
【００３６】
（実施の形態１）
図１は、本発明の実施の形態１における冷蔵庫の概略断面図を示すものであり、図２は概略Ａ−Ａ´断面図を示すものであり、図３は概略背面図を示すものである。なお、背景技術と同一構成については同一符号を付して詳細な説明を省略する。
【００３７】
図１、図２、図３において、例えば硬質発泡ウレタンなどの断熱材で周囲と断熱して構成されている断熱箱体１は複数の断熱区画に区分されており、上から冷蔵室２、引出しタイプの野菜室４と冷凍室３の構成となっている。各断熱区画にはそれぞれ断熱扉がガスケット２２を介して設けられている。上から冷蔵室回転扉５、野菜室引出し扉７、冷凍室引出し扉６である。
【００３８】
各断熱区画は一般的な区分としたが、製氷室が独立したものや、切り替え可能な独立室を設けたものや、複数の引出し室を設けたものなどであっても問題ない。
【００３９】
冷蔵室回転扉５には扉ポケット２３が収納スペースとして設けられており、庫内には複数の収納棚８が断熱箱体１の内箱を加工して設けた棚支持部２４に取外し自在に設けられてある。また冷蔵室２の最下部には引出し可能な略密閉の貯蔵ケース２５が設けてある。
【００４０】
冷蔵室２は冷蔵保存のために凍らない温度を下限に通常１〜５℃で設定されている。また、貯蔵ケース２５は肉魚などの保鮮性向上のため比較的低めの温度、たとえば−３〜１℃で設定される。野菜室４は冷蔵室２と同等もしくは若干高い温度設定の２℃〜７℃とすることが多い。低温にするほど葉野菜の鮮度を長期間維持することが可能である。
【００４１】
冷凍室３は冷凍保存のために通常−２２〜−１８℃で設定されているが、冷凍保存状態の向上のために、たとえば−３０〜−２５℃の低温で設定されることもある。
【００４２】
また、複数の冷凍室３を持つものは用途に応じた複数の冷凍温度帯で設定されることもある。
【００４３】
断熱箱体１の天面部は背面後方に向かって設けられた庫外凹み部１０を設けてある。庫外凹み部１０の庫内に対応する位置には庫内凸部２６がある。庫外凹み部１０と庫内凸部２６は左右冷蔵庫側壁面２７とは別に設けられた左右壁面２８と正面壁面２９と底面壁面３０とで構成される。
【００４４】
すなわち、庫外凹み部１０の両側面は断熱壁である左右壁面２８で覆われている。
【００４５】
庫内凸部２６の左右壁面２８と左右冷蔵庫側壁面２７との間に設けられた庫内凹み部３１はカバー部材３２によって略閉空間である空間部３３を構成してある。
【００４６】
すなわち、庫外凹み部１０の両側面には左右壁面２８と左右冷蔵庫側壁面２７とが折り返したような二重の断熱壁構成となり、この二重の断熱壁構成の間に空間部３３が形成されているものである。
【００４７】
断熱箱体１を冷却するために設けられる冷凍サイクルは圧縮機１６と凝縮器（図示せず）と減圧器であるキャピラリ３４と冷凍サイクル内の残留水分除去を行うドライヤ３５と蒸発器２０とを環状に接続して構成されている。
【００４８】
凝縮器（図示せず）は断熱箱体１の外郭内面に銅などの熱伝導性の良い材料でつくられた配管をアルミテープなどで熱伝導可能に貼り付けた構成となっており、断熱箱体１の外郭表面を利用して自然放熱する仕組みとなっている。
【００４９】
さらに放熱能力を向上させ効率化を図る場合には強制空冷式の凝縮器と放熱ファンを追加してもよい。
【００５０】
なお、凝縮器（図示せず）の配管は各室断熱扉体間の仕切りに配設して防滴防止を行ったり、除霜水蒸発のために配設して、ヒータなどを用いずに済むので消費電力量の削減による省エネ化や合理化や制御の簡素化が可能である。
【００５１】
蒸発器２０は冷却ファン２１で強制対流熱交換させる方式を用いている。
【００５２】
特に区画構成や温度設定に応じて複数の蒸発器を使い分けたり、複数のキャピラリを切替えたり、圧縮機１６の停止中にガスカットをする場合に、電動三方弁や２方弁などの流路制御手段３６が用いられる。
【００５３】
冷凍サイクルの構成部品である圧縮機１６は断熱箱体１の天面にある庫外凹み部１０に弾性支持部材３７により、弾性支持して配設されている。なお、庫外凹み部１０の左右側壁２８に弾性支持された圧縮機支持板を設けてこの支持板の上に圧縮機を配設すると、圧縮機は弾性支持部材３７を介して圧縮機支持板弾性的に支持され、さらにこの圧縮機支持板は冷蔵庫本体に弾性的に支持されている為、二重の防振構造となりさらに振動の伝達を低減させることができてよい。
【００５４】
また、冷凍サイクルを動作させる制御基板３８とドライヤ３５と流路制御弁３６とサクション配管３９は断熱箱体１の背面に設けられた背面凹み部４０に収納されている。背面凹み部４０の凹み代は制御基板３８などを配置するために、流路制御弁３６のモーター径や基板高さなどを考慮して３０から６０ミリの範囲としてあり、背面に向かって右に制御基板が左に冷凍サイクル部品が収納されている。冷凍サイクル部品の配置部は庫外凹み部１０と背面凹み部４０が一部連通してある。
【００５５】
ドライヤ３５は背面凹み部４０で取付け部材（図示せず）で略水平に保持されている。さらに流路制御弁３６はドライヤ３５のさらに下方に弾性部材（図示せず）で防振取り付けされている。ドライヤ３５と流路制御弁３６とは逆の位置関係でもよいが、ドライヤ３５を上部に配置することで液配管の圧損を低減することができ、冷凍サイクルの動作安定性が向上する。
【００５６】
またサクション配管３９は背面凹み部４０下方から直線部を立ち上げてあるので、圧縮機１６との接続にあたって十分に配管長さを確保して配管弾性部の余裕代を確保でき、圧縮機１６の振動を断熱箱体１に伝えにくい設計が可能である。キャピラリ３４とサクション配管３９は断熱箱体１の断熱壁内で熱交換可能に配設されている。具体的には半田づけなどがなされている。
【００５７】
制御基板３８は背面凹み部４０のなかで、基板収納部４１に取外し可能な基板カバー４２で密閉して配置されている。基板収納部４１と基板カバー４２は金属で構成されノイズ対策が講じられている。制御基板３８からの電気配線は図示しないが断熱箱体１の断熱壁内を配設され、庫内の各電気部品と接続されている。圧縮機１６への電気配線は断熱壁内を通さずに短くすることができるので、材料費、工数とも合理化が可能であり、サービス性も向上する。さらに電磁波ノイズの発生も低減することができる。
【００５８】
また、庫外凹み部１０の天面と背面と、さらには背面凹み部４０の背面を一枚の機械室カバー４３が取外し可能に設けられてある。機械室カバー４３は作業性が良いように複数に分割されていても良い。また、機械室カバー４３には放熱用に複数の穴（図示せず）が設けられている。圧縮機１６が自然放熱の場合は圧縮機１６の上方部に放熱穴が設けられると放熱効率が向上し、冷却ファンなしでも圧縮機の温度低減が可能である。
【００５９】
また、冷凍サイクルの構成機器である蒸発器２０は冷却ファン１８と共に、中段に位置する野菜室４の背面部に設けられている。これにより最下段の貯蔵室である冷凍室３の内容積と奥行きを最大限に大きくすることが可能である。
【００６０】
なお、中段の野菜室４と最下段の冷凍室３は逆の構成となれば、野菜室の内容積と奥行きを最大限に大きくすることが可能となる。
【００６１】
またなお、蒸発器２０を最下段の引出室背面に設けたならば、中段の引出室の内容積と奥行きを最大限に大きくできる。
【００６２】
以上のように構成された冷蔵庫について、以下その動作、作用を説明する。
【００６３】
まず、冷凍サイクルの動作について説明する。庫内の設定された温度に応じて制御基板３８からの信号により冷凍サイクルが動作して冷却運転が行われる。庫内温度の検出には各室に設けられたサーミスタなどの温度検知手段が用いられる。まず圧縮機１６の運転により吐出された高温高圧の冷媒は、断熱箱体１の外郭表面を利用した凝縮器で自然放熱されて凝縮液化する。その後、ドライヤ３５で冷媒の残留水分を除去した後、流路開放状態となっている流路制御弁３６を経て、キャピラリ３４に到達する。流路制御弁３６は圧縮機１６の停止中には閉止状態となり省エネ化のために高低圧ガスカットを行う機能を有している。
【００６４】
高低圧ガスカットとは冷凍サイクルの動作停止時に高温高圧の凝縮器に存在する冷媒が低温低圧の蒸発器へと圧力バランスするために移動することで、冷蔵庫庫内の熱負荷となることを防止して省エネ化を図るものである。
【００６５】
キャピラリ３４を通過する冷媒は比較的低温のサクション配管３６と熱交換しながら減圧されて効率的に低温低圧の液冷媒と変化し蒸発器２０に至る。
【００６６】
冷却ファン２１の動作により、庫内の空気と熱交換されて蒸発器２０内の冷媒は蒸発気化する。冷却された低温の冷気をダンパなどで分配することで各室の冷却を行う。
【００６７】
蒸発器２０を出た気化冷媒はサクション配管３６を経て圧縮機１６へと吸い込まれる。このとき冷媒は比較的高温のキャピラリ３４と熱交換して室温よりもやや高い温となるので圧縮機１６で液圧縮の防止や配管結露や配管錆付き等が防止できる。さらに圧縮機１６の吸込みでの熱損失も温度差が小さくできるので少なくて済む。
【００６８】
蒸発器２０の配管出口部には周囲温度条件の変動などによる負荷変動が原因となる余剰冷媒量の調節と過渡期の液冷媒の戻り防止のためにヘッダーが設けられる場合がある。
【００６９】
温度検知手段により低温の庫内各室の温度が十分に設定温度以下となったら、圧縮機１６の運転は停止されて冷凍サイクルの動作が終了する。
【００７０】
このように冷蔵庫庫内の温度を維持するために、冷凍サイクルの運転は繰り返される。
【００７１】
騒音や振動の発生源である圧縮機１６を配設した庫外凹み部１０は、防音性の高い多孔質のウレタンフォームからなる断熱壁である左右壁面２８と正面壁面２９と底面壁面３０とにより囲われた構成となっているので、ユーザーの耳の高さ近くに音源や震源が位置するにもかかわらず静音化を図ることができる。
【００７２】
また、よりユーザーに近い冷蔵庫側壁面２７を伝わる騒音、振動については左右断熱壁２８と空気層である庫内空間部３３と冷蔵庫側壁面２７との多重構造としたことにより、圧縮機の側面には防音効果の大きい断熱壁が２重にある上に、それらの断熱壁間にある庫内空間部が消音空間となり、騒音や振動の伝達を大幅に低減させることができる。
【００７３】
なお、本実施の形態では、まず庫外凹み部１０の両側面に二重の断熱壁を構成して内方に空間部３３を形成したが、予め空間を有する貫通部材を両側面の断熱壁中に設けても騒音や振動の伝達に対しては同様の効果を得ることができる。
【００７４】
つまり、庫外凹み部１０の両側面の断熱壁とその内方に位置する空間部３３との形成が要件であり、さらに空間部を庫内側と遮蔽するが遮蔽部材があれば一層騒音や振動の伝達防止効果を高めることができるものである。
【００７５】
さらに、庫外凹み部１０は比較的短い距離で各壁面が拘束されていることで剛性が上がり、これによって圧縮機周辺の冷蔵庫壁面が比較的高い強度で構成できるので、圧縮機１６から発生する振動が側壁面に伝達し、側壁面が大きく振動するのを低減できる。
【００７６】
さらに、断熱箱体１の強度を確保することができるので比較的重量が大きい物である圧縮機１６を天面の庫外凹み部１０に配設しても断熱箱体１にひずみが生じることがない。
【００７７】
またさらに、圧縮機１６下方にドライヤ３５や流路制御弁３６やサクション配管３９を配設することで、たとえば圧縮機１６の配管固定部と断熱箱体１の配管固定部とを距離をもって接続することができるので、配管が弾性作用を有するように接続することで、圧縮機の振動を配管によって吸収することができ、冷蔵庫本体への振動伝達を低減することが可能である。加えて、圧縮機１６の運転による配管折れや輸送時などの振動による配管折れを防止することができる。
【００７８】
また、組立てやサービス時に溶接作業や漏洩検査が必要となるドライヤ２９や流路制御弁３０と、電気検査が必要な制御基板３２が断熱箱体背面に対して取り付けられているので作業性が向上する。溶接部は振動による冷媒リークなどが発生しやすい場所であり、作業性を向上させることは基本的に信頼性を高めることとなる。特に封入冷媒に可燃性ガスを用いる場合は漏洩検査が重要な工程であり作業性を向上させることは安全確保の上で重要である。
【００７９】
なお、圧縮機１６は低圧容器型のレシプロ式を用いることで、さらに低騒音、低振動化を図ることができる。
【００８０】
なお、圧縮機１６を回転数可変タイプとすることで、必要な冷却能力に応じて回転数を低下させて運転させることができる。圧縮機１６の回転数を低下させると、圧縮機の運転音が大きく低減し、冷蔵庫の静音化が可能となる。冷蔵庫は圧縮機の最大冷凍能力を夏場の収納品入れ替えや扉の開閉を想定して設定するために、通常は選定した圧縮機１６よりも低い能力で十分運転可能であるので、通常運転時における冷蔵庫の騒音は大幅に低減することができる。
【００８１】
さらに、冷媒として地球温暖化防止に貢献できるＧＷＰの小さい炭化水素系冷媒であるＲ６００ａ（イソブタン）を用いるならば、冷媒物性値から冷凍サイクルの使用圧力条件が同じ温度条件で使用すると約２分の１となるために、圧縮機１６の軸受部にかかる差圧は約２分の１と軽減されるので、機械騒音や冷媒ガスの圧力脈動による騒音がさらに低減可能である。
【００８２】
また、冷凍サイクルの蒸発器２０は一つとしたが、複数の蒸発器を用いて冷却能力向上や蒸発温度の上昇により省エネ化を図るシステムや、複数のキャピラリを用いて、負荷に応じた減圧量を選定し省エネ化を図るシステムにおいても同様の効果が得られる。
【００８３】
なお、庫外凹み部１０と、庫内凸部２６と、左右２つの庫内凹み部３１とが左右対称の配置で構成された断熱箱体１とすることで、比較的重量物である圧縮機１６を断熱箱体中央に配設でき左右バランスがよく安定した構造とすることができる。また左右略対称構造とすることで、どちらかに偏ったひずみが発生することを防止できる。
【００８４】
（実施の形態２）
図４は、本発明の実施の形態２における冷蔵庫の概略断面図を示すものであり、図５は概略Ｂ−Ｂ´断面図を示すものである。なお、背景技術と同一構成については同一符号を付す。
【００８５】
図４と図５において、庫内照明装置４４が庫内凹み部３１とカバー部材３２とで構成された空間部３３に配設されている。照明装置４４は取外し交換可能な白熱球と断熱箱体１に固定されたソケット部から構成されている。
【００８６】
照明装置４４は冷蔵室扉検知手段（図示せず）が扉開を検知すると、制御基板（図示せず）から通電され、庫内を明るく照らす。扉が閉められると冷蔵室扉検知手段がこれを検知し照明装置４４への通電が停止されてＯＦＦとなる。
【００８７】
カバー部材３２は光透過を妨げない材料が用いられ、さらに庫内を一様に照らすためにカバー部材３２で乱反射させる表面加工を行ってある。さらに照明装置は左右一対に設けられており庫内を均一に照らすものである。
【００８８】
圧縮機１６を配設したために庫内にとびだしている庫内凸部２６と同一断面となるようにカバー部材３２をＬ字型に配設してあり、正面から見て左右方向に凸凹の形状となることがない。
【００８９】
また、カバー部材３２は正面と下面方向が光透過性の材料であり、２方向を照らしているので、一つの照明装置４４が最上段の棚を明るく照らすと共に、下段方向の棚に対しても照らすことができる。特に、庫内凸部２６だけ前方から庫内を照らすことができるので、庫内背面から照らす場合に比べて、庫内収納品が他の収納品の陰で影になりにくく、見やすい照明が可能である。
【００９０】
またさらに、空間部３３を照明空間として有効に利用しているので、通常天面や背面に照明装置を設けた場合に比べて無効内容積の削減につながる。
【００９１】
なお、可燃性冷媒が用いられる場合には、白熱球の緩みによりスパークすることを防止するために、ソケット部が緩み防止の弾性加工を施したねじ込み式のものや、プラグはめ込み式のものが用いられ安全性向上がなされている。
【００９２】
また、電気配線は断熱箱体１の壁面内部を通して制御基板へと行われている。照明装置４４が圧縮機１６と共に制御基板の近傍に集中して配設してあるので、配線が短くできる。これによりコストの低減が図れるのはもとより電磁波ノイズの発生を低減することが可能である。
【００９３】
またなお、照明装置４４のカバー部材３２は天面手前方向に長さを延長すると、導光板として冷蔵室開口手前部まで明るく照らすことができる。
【００９４】
さらにカバー部材３２を平面下方部に延長することで下段収納棚に対して導光板として明るい照明が可能である。このとき制御基板を配設する背面凹み部の庫内でっぱりと断面方向で同一形状となるようにカバー部材３２を配設すると、左右方向に凸凹のないスッキリとした庫内が実現できる。
【００９５】
またなお、照明装置はコストの安い白熱球を用いたが、明るさに特徴のある直流ランプを用いてもよい。
【００９６】
また、カバー部材３２は着色されて庫内の色調を変化させることも可能である。
【００９７】
（実施の形態３）
図６は、本発明の実施の形態３における冷蔵庫の概略風路断面図を示すものであり、図７は冷蔵室風路概略構成図を示すものであり、図８は概略風路断面図を示すものである。なお、背景技術と同一構成については同一符号を付す。
【００９８】
図６と図７において、冷蔵室の風路は冷却風路である冷蔵室吐出風路４５と冷蔵室吸込み風路４６とが冷蔵室２の背面に設けられている。冷蔵室吐出風路４５は冷却ファン２１の上方で電動ダンパ４７が設けられてあり、電動ダンパ４７の下流側で左右に分流する構成としてある。分流した中央部には制御基板を収納する背面凹み部４０が位置しており、これによる庫内のでっぱりを逃がした風路配置により左右方向の凸凹をなくしてある。さらに冷蔵室２に突出した庫内凸部２６の左右に設けられた空間部３３が冷蔵室吐出風路４５の一部として使用される。
【００９９】
また、冷蔵室吐出風路４５には庫内側に風路カバー４８が設けられており、冷蔵室２の各収納棚８で区画された各収納空間に対向した位置に冷気吐出口４９が設けられている。
【０１００】
なお、風路カバー４８は空間部３３を構成するカバー部材を兼用している。
【０１０１】
一方冷蔵室吸込み風路４６は冷蔵室右下方に設けられた開口部５０と蒸発器２０の下方部で連通するように配設してあり、冷凍室吸込み風路と合流するよう構成されている。
【０１０２】
冷蔵室２の冷気の流れは、冷却ファン２１の運転により蒸発器２０で冷却された冷気が冷蔵室吐出風路４５内を通り冷蔵室２へと送出される。電動ダンパ４７は冷蔵室２の庫内温度が設定温度よりも上昇したことにより冷蔵室２の冷却が必要な場合に開放状態となる。冷蔵室２の各棚毎に設けられた冷気吐出口４９から冷気が吐出されて庫内が冷やされる。さらに、風路は天面の前方まで伸ばしてあり、ドア棚２３や棚前面部が冷やされる。庫内凸部２６の左右の空間部３３を冷却風路とするので、別途冷却風路を設ける場合に比べて、冷蔵室２内に生じた凸凹の使いにくい空間を有効的に利用し内容積を増加することができる。また、庫内の凸凹を少なく各棚背面をフラットな構成とすることができスッキリした庫内空間を創出できる。特に庫内凸部２６に加えて冷蔵室吐出風路４５の空間が生じないので、奥行き方向に庫内凸部２６を最小限とすることができる。
【０１０３】
また、各棚の温度分布は冷気吐出口４９の開口面積により設計されており、たとえば下段の貯蔵ケース２５のように低温に設定する部位には冷気吐出口４９の開口面積が他の吐出口に比べて大きく設計されている。庫内を冷やした冷気は冷蔵室吸込み風路４６から回収されて再び蒸発器へと戻る。
【０１０４】
なお、図８に示すように、空間部３３に冷蔵室循環ファン５０を設けたもので、無効内容積空間を有効的に利用してある。電動ダンパ４７を閉状態とし冷蔵室循環ファン５０を動作させることで、冷蔵室の温度ムラを低減することが可能である。
【０１０５】
またさらに、脱臭触媒や光脱臭触媒などからなる脱臭装置５１を空間部３３に備えたものは、別途脱臭装置５１を設ける場合に比べて、冷蔵室２内に生じた凸凹の使いにくい空間を有効的に利用し内容積を増加することができる。また、庫内の各棚背面をフラットな構成とすることができスッキリした庫内空間を創出できる。
【０１０６】
特に冷蔵室循環ファン５０と脱臭装置５１を組み合わせて配置すれば、脱臭能力を可変に制御可能であり、ユーザーからの要求により脱臭能力を向上させる制御や、所定の定期的または不定期な間隔で脱臭能力を向上させることで脱臭性能のさらなる向上が実現できる。
【産業上の利用可能性】
【０１０７】
本発明の冷蔵庫は、最下段の貯蔵室の内容積と奥行きを充分に確保することに加え、冷蔵庫側壁面から発生する騒音、振動を低減することができるので、業務用の大型冷蔵庫および冷凍庫やショーケースといった冷凍機器にも適用できる。
【図面の簡単な説明】
【０１０８】
【図１】本発明の実施の形態１における冷蔵庫の概略断面図
【図２】本発明の実施の形態１における冷蔵庫の概略Ａ−Ａ´断面図
【図３】本発明の実施の形態１における冷蔵庫の概略背面図
【図４】本発明の実施の形態２における冷蔵庫の概略断面図
【図５】本発明の実施の形態２における冷蔵庫の概略Ｂ−Ｂ´断面図
【図６】本発明の実施の形態３における冷蔵庫の概略風路断面図
【図７】本発明の実施の形態２における冷蔵庫の冷蔵室風路概略構成図
【図８】本発明の実施の形態２における冷蔵庫の冷蔵室風路概略構成図
【図９】従来の冷蔵庫の概略断面図
【符号の説明】
【０１０９】
１    断熱箱体
２    冷蔵室（貯蔵室）
３    冷凍室（貯蔵室）
４    野菜室（貯蔵室）
８    収納棚
１０  庫外凹み部
１６  圧縮機
２０  蒸発器
２６  庫内凸部
２７  左右側壁面
２８  制御基板
３１  庫内凹み部
３２  カバー部材
３３  空間部
３４  キャピラリ（減圧器）
３５  ドライヤ
３６  流路制御弁
３９  サクション配管
４０  背面凹み部
４１  制御基板収納部
４３  機械室カバー
４４  照明装置
４５  冷蔵室吐出風路（冷却風路）
４７  電動ダンパ
５０  冷蔵室循環ファン
５１  脱臭装置
【図１】
2005351507.tif 000003
【図２】
2005351507.tif 000004
【図３】
2005351507.tif 000005
【図４】
2005351507.tif 000006
【図５】
2005351507.tif 000007
【図６】
2005351507.tif 000008
【図７】
2005351507.tif 000009
【図８】
2005351507.tif 000010
【図９】
2005351507.tif 000011